(57)【要約】【課題】簡単に船虫を捕捉して、しかも捕捉した船虫を生きた状態で維持することのできる船虫捕捉装置を提供する。【解決手段】船虫を内部に誘導する船虫誘導部材２と、船虫誘導部材２を通じて誘導した船虫を捕捉する船虫捕捉部材３とからなる船虫捕捉装置１であって、船虫誘導部材２は、その先端に入口２３、２４が形成されるとともに、入口２３、２４から誘導路を通じて船虫捕捉部材３内に連通されてなり、一方、船虫捕捉部材は、遮蔽手段により内部が遮蔽されるとともに、内部に該内部を適宜湿度に保つ保湿部材４が設けられ、さらに捕捉した船虫を外部に取出すとともに内部に船虫の餌を投入するための投入取出口を有している。誘導路は傾斜面に形成され、該傾斜面に滑り止め手段が設けられている。船虫誘導部材２と船虫捕捉部材３とが着脱自在に設けられている。【選択図】　図３
2004033054.tif 000002
【特許請求の範囲】
【請求項１】
船虫を内部に誘導する船虫誘導部材と、該船虫誘導部材を通じて誘導した船虫を捕捉する船虫捕捉部材とからなる船虫捕捉装置であって、
上記船虫誘導部材は、その先端に入口が形成されるとともに、該入口から誘導路を通じて上記船虫捕捉部材内に連通されてなり、
一方、上記船虫捕捉部材は、遮蔽手段により内部が遮蔽されるとともに、内部に該内部を適宜湿度に保つ保湿部材が設けられ、さらに捕捉した船虫を外部に取出すとともに内部に船虫の餌を投入するための投入取出口を有することを特徴とする船虫捕捉装置。
【請求項２】
前記誘導路は傾斜面に形成され、該傾斜面に滑り止め手段が設けられたことを特徴とする請求項１記載の船虫捕捉装置。
【請求項３】
前記船虫誘導部材と前記船虫捕捉部材とが着脱自在に設けられてなることを特徴とする請求項１又は２記載の船虫捕捉装置。
【発明の詳細な説明】
【０００１】
【発明の属する技術分野】
本発明は、船虫を捕捉するための船虫捕捉装置に関するものである。
【０００２】
【従来の技術】
従来、磯の岩場などには船虫が生息しており、釣り人の中にはこの船虫を磯釣りなどをする際の餌にしている者も多い。
【０００３】
【発明が解決しようとする課題】
しかしながら、船虫は人が近づくと岩場の隙間や影にさぁと逃げてしまうため、人の手で捕まえるのが大変で、釣りに必要な分の船虫を確保するのはなかなか困難であった。
【０００４】
本発明は、上記問題点に鑑みてなされたもので、その目的とするところは、岩場などの船虫が生息する場所に置いておくことで、簡単に船虫を捕捉してこの船虫を餌にして釣りを楽しむことができ、しかも捕捉した船虫を生きた状態で維持することのできる船虫捕捉装置を提供することを目的とするものである。
【０００５】
【課題を解決するための手段】
請求項１に係る発明の船虫捕捉装置は、船虫を内部に誘導する船虫誘導部材と、該船虫誘導部材を通じて誘導した船虫を捕捉する船虫捕捉部材とからなる船虫捕捉装置であって、上記船虫誘導部材は、その先端に入口が形成されるとともに、該入口から誘導路を通じて上記船虫捕捉部材内に連通されてなり、一方、上記船虫捕捉部材は、遮蔽手段により内部が遮蔽されるとともに、内部に該内部を適宜湿度に保つ保湿部材が設けられ、さらに捕捉した船虫を外部に取出すとともに内部に船虫の餌を投入するための投入取出口を有するものである。
【０００６】
請求項２に係る発明の船虫捕捉装置は、前記誘導路は傾斜面に形成され、該傾斜面に滑り止め手段が設けられたものである。
【０００７】
請求項３に係る発明の船虫捕捉装置は、前記船虫誘導部材と前記船虫捕捉部材とが着脱自在に設けられてなるものである。
【０００８】
【発明の実施の形態】
以下、本発明の実施の形態を図面を参照して説明する。
【０００９】
図１は、本発明の船虫捕捉装置の全体構成を示している。
【００１０】
この船虫捕捉装置１は、船虫を内部に誘導する船虫誘導部材２と、該船虫誘導部材２を通じて誘導した船虫を捕捉する船虫捕捉部材３とで構成されている。
【００１１】
船虫誘導部材２は、図２に示すように、外部に露出する誘導先端部２１と、船虫捕捉部材３内に挿入配置される誘導基端部２２とで構成されている。
【００１２】
誘導先端部２１は、上面２１ａが傾斜面に形成されて側面視から見て先端が尖った鋭角状に形成されている。この誘導先端部２１の底面は開口されており、先端に正面入口２３が形成されるとともに、両側面下部に側面入口２４がそれぞれ形成されている。
【００１３】
誘導基端部２２は、その内部に誘導路２５が形成されている。誘導路２５は、下面２５ａが前記誘導先端部２１側から船虫捕捉部材３側にかけて上方に傾斜した傾斜面に形成されるとともに、上面２５ｂが前記誘導先端部２１側から船虫捕捉部材３側にかけて逆に下方に傾斜した傾斜面に形成され、これら下面２５ａ及び上面２５ｂの船虫捕捉部材３側は、開口を小さくして当該船虫捕捉部材３に連通する連通口２６になされている。
【００１４】
そして、連通口２６の下部には、誘導ローラ２７が回転自在に設けられている。誘導ローラ２７は、外部から誘導先端部２１を通じて連通口２６まで侵入した船虫を船虫捕捉部３に導くためのもので、その外周面に複数の羽根片２７ａを備えている。従って、誘導路２５を通じて連通口２６まで侵入した船虫は誘導ローラ２７に達し、この誘導ローラ２７が船虫の侵入に伴って図２において時計回りの方向に回転して当該船虫を船虫捕捉部材３内に導く。また、逆に船虫捕捉部材３内に捕捉した船虫が船虫誘導部材２側に脱出しようとした場合には、誘導ローラ２７が船虫の脱出を妨げる役目も果たすことができる。
【００１５】
また、下面２５ａにはフェルトなどからなる布部材２８が敷設されており、この布部材２８の先端２８ａが誘導先端部２１側に延長して配置されている。また、誘導路２５の誘導先端部２１側開口にもフェルトなどからなる舌状の布部材２９が当該誘導先端部２１内に延長して設けられている。これら布部材２８、２９により各入口２３、２４を通じて誘導先端部２１内に侵入した船虫を円滑に連通口２６に導くようにしている。つまり、これら布部材２８、２９によって滑り止め手段を構成しており、船虫を船虫捕捉部材３に円滑に導くようにしている。さらに、前記誘導ローラ２７の羽根片２７ａの外周面にも上述と同様な滑り止めの目的で布部材２７ｂが設けられている。
【００１６】
船虫捕捉部材３は、図３に示すように一端部が開口されるとともに他端部が閉塞された例えば透明な筒状の捕捉本体部３１と、捕捉本体部３１の外周を被覆する被覆体３２（図１参照）とで構成されている。
【００１７】
捕捉本体部３１は、その一端部周縁が前記船虫誘導部材２の途中部２ａ（誘導先端部２１と誘導基端部２２との連結部分）に形成された環状の取付孔２ｂ（図２参照）に挿入配置自在に設けられている。つまり、捕捉本体部３１は、船虫誘導部材２に着脱自在に取付けられ、後述するように被覆体３２によって連結した状態で固定されるようになされている。
【００１８】
また、捕捉本体部３１の他端部には、取出口３３が形成されており、この取出口３３がキャップ３４により開閉自在に設けられている。
【００１９】
さらに、捕捉本体部３１の他端部寄りにはその外周面に支持材３５が設けられている。支持材３５は、前述した船虫誘導部材２の途中部２ａと同様にその外周面が矩形状に形成されており、上記途中部２ａとで装置全体を磯場などの適所に安定的に配置できるようにしている。
【００２０】
そして、捕捉本体部３１の内部には図３に示すように保湿部材４が配設されている。保湿部材４は、捕捉本体部３１に捕捉した船虫を生かした状態で確保しておくためのもので、例えば布部材を図３に示すように円筒状に形成することによって構成している。
【００２１】
この保湿部材４は、海水などによって予め濡らしておくことで、捕捉本体部３１内を船虫の生息環境に良い適宜な湿度に保持するようにしている。また、保湿部材４内には船虫を船虫誘導部材２を通じて捕捉本体部３１内に導いて捕捉するための餌を配置するようにしている。船虫を捕捉するための餌としては、例えばまきエビなどのまき餌や水あかなどが使用される。
【００２２】
前記被覆体３２は、捕捉本体部３１の内部を遮蔽する遮蔽手段を構成するもので、筒状に形成した黒い布で構成されている。被覆体３２の一端部開口は、矩形状に形成された前記途中部２ａの外周に締結バンド３６によって締結されている。また、被覆体３２の他端部には紐状部材３７が設けられている。従って、船虫誘導部材２に連結させた捕捉本体部３１全体を被覆体３２で覆った後、捕捉本体部３１の他端部のキャップ３４部分を紐状部材３７で締めつけることで、捕捉本体部３１を船虫誘導部材２に連結した状態で保持することができるとともに、捕捉本体部３１内を外部から遮蔽して暗室状態にすることができる。
【００２３】
このように捕捉本体部３１内を暗室状態にするのは、船虫が暗い所を好むという習性に基づくもので、前述した保湿部材４により捕捉本体部３１内を適度な湿度に保持することと相まって、当該捕捉本体部３１内を船虫の好む環境にしている。
【００２４】
次に、このように構成された船虫捕捉装置の使用について説明する。
【００２５】
まず、船虫を捕捉する場合には、船虫誘導部材２から捕捉本体部３１を取り外した状態で、当該捕捉本体部３１内の保湿部材４を一端部開口を通じて海水などで適当な湿度になるように濡らすとともに、この保湿部材４内に船虫の餌を入れておく。次に、上記捕捉本体部３１を船虫誘導部材２に連結された被覆体３２の他端部から挿入し、捕捉本体部３１全体を被覆体３２で被覆するとともにこの捕捉本体部３１と船虫誘導部材２とを連結する。そして、被覆体３２の紐状部材３７で捕捉本体部３１のキャップ３４部分を締めつけることで、捕捉本体部３１と船虫誘導部材２とを連結した状態で固定する。
【００２６】
このようにして船虫捕捉装置１のセットが完了すると、当該船虫捕捉装置１を磯場などの船虫が生息していそうな場所に置いておく。これにより船虫が、船虫誘導部材２側の正面入口２３及び側面入口２４から漏れる餌の臭いにつられて、これら正面入口２３及び側面入口２４から誘導路２５、連通口２６、誘導ローラ２７を通じて捕捉本体部３１内に侵入し、保湿部材４の餌を食べることによって、当該捕捉本体部３１内に捕捉される。
【００２７】
従って、ある程度の船虫を捕捉した状態で、この船虫を例えば取出口３３を通じて必要量を取出すことで釣り餌として使用することができる。そして、釣りをしながら再び放置しておくことでさらに多くの船虫を捕捉することができる。
【００２８】
このように船虫を捕捉本体部３１内に簡単に捕捉することができるとともに、捕捉本体部３１内では船虫に適した環境になされているので、当該船虫を釣り餌として最適な生きた状態で捕らえておくことができる。つまり、釣り人にとっては、釣り餌として必要な量の船虫を釣り場において簡単に調達できて釣りを楽しむことができる。
【００２９】
また、この船虫捕捉装置を一晩など長時間放置しておくことで、大量の船虫を捕捉することもできる。
【００３０】
ところで、このように構成された船虫捕捉装置１は、捕捉本体部３１内に捕捉した船虫を全て逃がさないように完全な形で捕捉するものでなく、多少の船虫が船虫誘導部材２側から逃げる出すことを許容することによって、構造の簡略化を優先する形で作製している。
【００３１】
そして、捕捉により捕捉本体部３１内などが汚れた場合には、船虫誘導部材２と捕捉本体部３１とを分離させることで、簡単に清掃することができる。
【００３２】
なお、本実施の形態では、餌の投入と船虫の取出しとを捕捉本体部３１の一端部開口と取出口３３との両方を用いて行うように説明したが、捕捉本体部３１を船虫誘導部材２から取外すことでこの一端部開口から船虫の取出しを行うようにしてもよい。つまり、捕捉本体部３１の一端部開口を、捕捉した船虫を外部に取出すとともに内部に船虫の餌を投入するための投入取出口とすることもでき、この場合には、取出口３３を不要にすることができる。また、取出口３３を餌の投入や内部の清掃が可能な大きさにすることで、この取出口３３を上記投入取出口にすることもでき、この場合には捕捉本体部３１を船虫誘導部材２から取外す作業を不要にできる。つまり、船虫誘導部材２と前記船虫捕捉部材３とを着脱させることなく、一体化することもできる。
【００３３】
また、遮蔽手段として被覆体３２により捕捉本体部３１内を遮蔽するようにしたが、捕捉本体部３１自体を黒色等の材料で成形することによって遮蔽手段を構成してもよい。
【００３４】
さらに、保湿部材４も布部材に限らず、適度な湿度で船虫に住みやすい環境を与えるものであればよく、また滑り止め手段も布部材だけに限るものでない。
【００３５】
また、船虫誘導部材２及び前記船虫捕捉部材３の形状、大きさ等も適宜に決定すればよい。
【００３６】
【発明の効果】
以上述べたように、本発明の船虫捕捉装置によれば、船虫を簡単に捕捉することができるとともに、当該船虫を釣り餌として最適な生きた状態で捕らえておくことができるので、釣り人にとっては、釣り餌として必要な量の船虫を釣り場において簡単に調達できて釣りを楽しむことができる。
【図面の簡単な説明】
【図１】船虫捕捉装置の全体を示す斜視図である。
【図２】主に船虫誘導部材の構成を示す断面図である。
【図３】被覆体を取外した状態の船虫捕捉装置を示す斜視図である。
【符号の説明】
１　船虫捕捉装置
２　船虫誘導部材
２１　誘導先端部
２２　誘導基端部
２５　誘導路
２８　布部材（滑り止め手段）
３　船虫捕捉部材
３１　捕捉本体部
３２　被覆体（遮蔽手段）
４　保湿部材
【図１】
2004033054.tif 000003
【図２】
2004033054.tif 000004
【図３】
2004033054.tif 000005